(57)【要約】【課題】雄型コネクタが挿入される挿入口の剛性の確保が可能で、かつ、雄型コネクタの円滑な挿入が可能な雌型コネクタを提供すること。【解決手段】雄型コネクタが挿入される挿入口３ｎを有する雌型コネクタは、端子７と、端子７が固定される端子固定部材８と、端子７が固定された端子固定部材８を収納する端子収納部３ｆが形成されるコネクタ本体部３ｂとを備えている。端子収納部３ｆのＺ１方向端には、端子７が固定された状態の端子固定部材８が通過可能な開口部が形成され、コネクタ本体部３ｂは、雄型コネクタを支持する支持部３ｍを備えている。支持部３ｍは、Ｘ方向から見たとき、コネクタ本体部３ｂの全周にわたって連続して形成されている。また、支持部３ｍによって挿入口３ｎが形成されている。【選択図】図３
2010061957.tif 000002
【特許請求の範囲】
【請求項１】
雄型コネクタが挿入される挿入口を有する雌型コネクタにおいて、
端子と、前記端子が固定される端子固定部材と、前記端子が固定された前記端子固定部材を収納する端子収納部が形成されるコネクタ本体部とを備え、
前記雄型コネクタの挿入方向に略直交する第１方向における前記端子収納部の一方向端には、前記端子が固定された状態の前記端子固定部材が通過可能な開口部が形成され、
前記コネクタ本体部は、前記雄型コネクタを支持する支持部を備え、
前記支持部は、前記挿入方向から見たとき、前記コネクタ本体部の全周にわたって連続して形成され、
前記挿入口は、前記支持部によって形成されていることを特徴とする雌型コネクタ。
【請求項２】
前記支持部は、前記第１方向の一方向側に配置され前記開口部の縁部を構成する第１支持部と、前記第１方向の他方向側に配置される第２支持部とを備え、
前記第１支持部と前記第２支持部とは、前記第１方向から見たときに互いに重ならないように形成されていることを特徴とする請求項１記載の雌型コネクタ。
【請求項３】
前記コネクタ本体部は、前記雄型コネクタと前記雌型コネクタとが係合する係合位置で、前記雄型コネクタに形成される第１係合部に係合する第２係合部を備えることを特徴とする請求項１または２記載の雌型コネクタ。
【請求項４】
前記端子収納部には、前記端子固定部材を固定するための固定溝部が形成され、
前記端子固定部材は、前記第１方向の他方向に突出して前記固定溝部に圧入される圧入突起部を備えることを特徴とする請求項１から３いずれかに記載の雌型コネクタ。
【請求項５】
前記開口部を覆う蓋部を備え、
前記蓋部は、前記端子固定部材の、前記第１方向の一方向側に形成される当接面に当接する当接突起部を備えることを特徴とする請求項１から４いずれかに記載の雌型コネクタ。
【請求項６】
請求項１から５いずれかに記載の雌型コネクタを備えるとともに、
前記開口部を覆う蓋部とモータの一部を収納する第１モータ収納部とを有する第１ケース体と、前記コネクタ本体部と前記モータの一部を収納する第２モータ収納部とを有する第２ケース体とを備え、
前記第１ケース体と前記第２ケース体とは、前記モータの軸方向で組み合わされ、
前記挿入方向は、前記軸方向と略直交していることを特徴とするモータケース。
【請求項７】
前記第１方向における前記第２モータ収納部の一方向端には、前記第２モータ収納部へ前記モータの一部を挿入するためのモータ挿入開口部が形成されていることを特徴とする請求項６記載のモータケース。
【請求項８】
請求項６または７記載のモータケースと、前記モータケースに収納される前記モータと、前記モータに形成されるモータ側端子と前記端子とを接続するケーブルとを備えることを特徴とするモータユニット。
【請求項９】
請求項２記載の雌型コネクタを備えるとともに、前記開口部を覆う蓋部とモータの一部を収納する第１モータ収納部とが形成される第１ケース体と、前記コネクタ本体部と前記モータの一部を収納する第２モータ収納部とが形成される第２ケース体とを備え、前記モータの軸方向と前記挿入方向とが略直交しているモータケースの製造方法であって、
前記第２ケース体は、前記軸方向の一方向へ移動する第１の金型と、前記軸方向の他方向へ移動する第２の金型とによって、樹脂成型で形成されることを特徴とするモータケースの製造方法。
【発明の詳細な説明】
【技術分野】
【０００１】
本発明は、雌型コネクタ、モータケース、モータユニットおよびモータケースの製造方法に関する。
【背景技術】
【０００２】
従来から、雄型コネクタと、この雄型コネクタが係合する雌型コネクタとから構成されるコネクタ装置が広く利用されている。かかるコネクタ装置を構成する雌型コネクタとして、コネクタハウジングと蓋部とから構成される雌型コネクタが知られている（たとえば、特許文献１参照）。
【０００３】
特許文献１に記載の雌型コネクタでは、コネクタハウジングの前面および上面が開口している。また、この雌型コネクタでは、前面の開口と上面の開口とが繋がっており、蓋部がこの開口を覆っている。なお、この雌型コネクタには、前面側から雄型コネクタが挿入される。
【０００４】
【特許文献１】特開２００５−２２２７３１号公報
【発明の開示】
【発明が解決しようとする課題】
【０００５】
特許文献１に記載の雌型コネクタでは、コネクタハウジングの前面の開口と上面の開口とが繋がるように形成されている。そのため、前面側から挿入される雄型コネクタの挿入口の剛性を確保することが困難である。また、このコネクタハウジングがたとえば、樹脂成型品である場合には、コネクタハウジングの成型時に、挿入口に反り等が生じるおそれがある。したがって、挿入口において雄型コネクタの適切な位置決めを行うことができず、挿入される雄型コネクタを端子に向かって適切に案内することができないといった問題も生じる。すなわち、雄型コネクタの円滑な挿入が困難になるといった問題も生じる。
【０００６】
そこで、本発明の課題は、雄型コネクタが挿入される挿入口の剛性の確保が可能で、かつ、雄型コネクタの円滑な挿入が可能な雌型コネクタを提供することにある。また、本発明の課題は、かかる雌型コネクタを備えるモータケースおよびモータユニットを提供することにある。さらに、本発明の課題は、かかる雌型コネクタを備えるモータケースの製造方法を提供することにある。
【課題を解決するための手段】
【０００７】
上記の課題を解決するため、本発明は、雄型コネクタが挿入される挿入口を有する雌型コネクタにおいて、端子と、端子が固定される端子固定部材と、端子が固定された端子固定部材を収納する端子収納部が形成されるコネクタ本体部とを備え、雄型コネクタの挿入方向に略直交する第１方向における端子収納部の一方向端には、端子が固定された状態の端子固定部材が通過可能な開口部が形成され、コネクタ本体部は、雄型コネクタを支持する支持部を備え、支持部は、挿入方向から見たとき、コネクタ本体部の全周にわたって連続して形成され、挿入口は、支持部によって形成されていることを特徴とする。
【０００８】
本発明の雌型コネクタでは、雄型コネクタを支持する支持部が、雄型コネクタの挿入方向から見たとき、コネクタ本体部の全周にわたって連続して形成されるとともに、支持部によって雄型コネクタが挿入される挿入口が形成されている。そのため、挿入口の剛性の確保が可能になる。また、コネクタ本体部が樹脂成型品であっても、その成型時に、挿入口に反り等が生じるのを抑制することができる。したがって、挿入口において雄型コネクタの適切な位置決めを行うことが可能になり、雄型コネクタを端子に向かって適切に案内することが可能になる。すなわち、雄型コネクタの円滑な挿入が可能になる。また、本発明では、端子収納部と挿入口とがコネクタ本体部に一体で形成されているため、端子収納部と挿入口との位置精度を向上させることができ、雄型コネクタの円滑な挿入が可能になる。
【０００９】
また、本発明では、雄型コネクタの挿入方向に略直交する第１方向における端子収納部の一方向端には、端子が固定された状態の端子固定部材が通過可能な開口部が形成されている。そのため、この開口部から端子収納部へ端子固定部材を収納することができる。また、端子収納部へ端子固定部材を収納する際には、たとえば、端子とこの端子に接続されるケーブルとの接続部分を目視で確認することができる。したがって、端子収納部へ端子固定部材を収納する際に、端子とケーブルとの接続部分に不具合が生じても、この不具合を発見することが可能になる。
【００１０】
ここで、一般的には、半田付けによって端子にケーブルが接続されるため、端子が固定される端子固定部材には半田付け時に熱がかかるが、本発明では、端子固定部材がコネクタ本体部とは別体で形成されているため、端子固定部材を端子収納部に収納する前に端子とケーブルとの半田付けを行えば、耐熱性材料でコネクタ本体部を形成する必要がなくなる。したがって、コネクタ本体部を形成するための材料の選択肢を増やすことが可能となり、コネクタ本体部の設計の自由度を向上させることが可能となる。
【００１１】
本発明において、支持部は、第１方向の一方向側に配置され開口部の縁部を構成する第１支持部と、第１方向の他方向側に配置される第２支持部とを備え、第１支持部と第２支持部とは、第１方向から見たときに互いに重ならないように形成されていることが好ましい。このように構成すると、第１方向に分割される２個の金型を用いて、コネクタ本体部を形成することができる。したがって、コネクタ本体部を形成するための金型の構造が簡素化される。
【００１２】
本発明において、コネクタ本体部は、雄型コネクタと雌型コネクタとが係合する係合位置で、雄型コネクタに形成される第１係合部に係合する第２係合部を備えることが好ましい。このように構成すると、挿入口と第２係合部とを一体で形成することができ、挿入口と第２係合部との位置精度を向上させることができる。したがって、雄型コネクタと雌型コネクタとの円滑な係合が可能になる。
【００１３】
本発明において、端子収納部には、端子固定部材を固定するための固定溝部が形成され、端子固定部材は、第１方向の他方向に突出するとともに固定溝部に圧入される圧入突起部を備えることが好ましい。このように構成すると、端子収納部に対して、端子固定部材を容易に位置決めし、かつ、固定することが可能になる。
【００１４】
本発明において、雌型コネクタは、開口部を覆う蓋部を備え、蓋部は、端子固定部材の、第１方向の一方向側に形成される当接面に当接する当接突起部を備えることが好ましい。このように構成すると、蓋部に形成される当接突起部によって、端子固定部材を端子収納部に確実に固定することが可能になる。
【００１５】
本発明の雌型コネクタは、この雌型コネクタを備えるとともに、開口部を覆う蓋部とモータの一部を収納する第１モータ収納部とを有する第１ケース体と、コネクタ本体部とモータの一部を収納する第２モータ収納部とを有する第２ケース体とを備え、第１ケース体と第２ケース体とは、モータの軸方向で組み合わされ、挿入方向が、軸方向と略直交しているモータケースに用いることができる。このモータケースでは、雄型コネクタが挿入される挿入口の剛性の確保が可能になる。また、雄型コネクタの円滑な挿入が可能になる。
【００１６】
本発明において、第１方向における第２モータ収納部の一方向端には、第２モータ収納部へモータの一部を挿入するためのモータ挿入開口部が形成されていることが好ましい。このように構成すると、モータと端子固定部材とを同じ方向から第２ケース体に挿入して収納することが可能になる。したがって、たとえば、モータに形成されるモータ側端子と端子とをケーブルで接続した状態で、モータおよび端子固定部材を第２ケース体に挿入して収納することが可能になり、作業性を向上させることができる。
【００１７】
本発明のモータケースは、モータケースに収納されるモータと、モータに形成されるモータ側端子と端子とを接続するケーブルとを備えるモータユニットに用いることができる。このモータユニットでは、雄型コネクタが挿入される挿入口の剛性の確保が可能になる。また、雄型コネクタの円滑な挿入が可能になる。
【００１８】
本発明の雌型コネクタを備えるとともに、開口部を覆う蓋部とモータの一部を収納する第１モータ収納部とが形成される第１ケース体と、コネクタ本体部とモータの一部を収納する第２モータ収納部とが形成される第２ケース体とを備え、モータの軸方向と挿入方向とが略直交しているモータケースの製造方法では、たとえば、第２ケース体は、軸方向の一方向へ移動する第１の金型と、軸方向の他方向へ移動する第２の金型とによって、樹脂成型で形成される。この場合には、軸方向に分割される第１の金型と第２の金型とを用いて、コネクタ本体部を形成することができる。したがって、モータケースの製造が容易になる。また、コネクタ本体部を形成するための金型の構造が簡素化される。
【発明の効果】
【００１９】
以上のように、本発明の雌型コネクタ、モータケースおよびモータユニットでは、雄型コネクタが挿入される挿入口の剛性の確保が可能になり、かつ、雄型コネクタの円滑な挿入が可能になる。また、本発明のモータケースの製造方法を用いると、モータケースの製造が容易になる。
【発明を実施するための最良の形態】
【００２０】
以下、本発明の実施の形態を図面に基づいて説明する。
【００２１】
（モータユニットの概略構成）
図１は、本発明の実施の形態にかかるモータユニット１の斜視図である。図２は、図１のモータユニット１を他の方向から示す斜視図である。図３は、図１のモータユニット１の分解斜視図である。
【００２２】
本形態のモータユニット１は、図１〜図３に示すように、第１ケース体としての上ケース体２および第２ケース体としての下ケース体３によって構成されるモータケース４と、モータケース４の内部に配置されるモータ５とを備えている。また、モータユニット１は、雄型コネクタ１１（図１参照）が係合する雌型コネクタ６を備えている。本形態の雌型コネクタ６は、上ケース体２の一部と、下ケース体３の一部と、複数の端子７と、複数の端子７が固定される端子固定部材としての端子台８とによって構成されている。また、モータユニット１は、図３に示すように、モータ５に固定されるモータ側端子９と端子７とを接続するケーブル１０を備えている。
【００２３】
上ケース体２と下ケース体３とは、モータ５の軸方向で組み合わされて互いに固定されている。この上ケース体２および下ケース体３の詳細な構成については後述する。
【００２４】
モータ５は、ギア付きのモータであり、複数のギアを有するギア部１３と、モータ本体部１４とを備えている。ギア部１３の出力側端には、モータ５の軸方向に向かって突出する出力軸１５が配置されている。モータ側端子９は、図３に示すように、モータ本体部１４の径方向外側に向かって突出するようにモータ本体部１４に固定されている。
【００２５】
ケーブル１０は、たとえば、フレキシブルプリント基板である。このケーブル１０の一端には、モータ側端子９が半田付けによって固定され、ケーブル１０の他端には、端子７が半田付けによって固定されている。
【００２６】
（下ケース体、上ケース体および端子台の構成）
図４は、図１に示す下ケース体３の平面図である。図５は、図１に示す下ケース体３の下面図である。図６は、図４のＥ−Ｅ方向から下ケース体３を示す側面図である。図７は、図４に示すコネクタ本体部３ｂの前端側を上側から示す斜視図である。図８は、図１に示す上ケース体２の下面図である。図９は、図２のＦ−Ｆ断面の断面図である。図１０は、図１に示す下ケース体３の製造に使用される金型２１、２２の概略構成を説明するための断面図である。
【００２７】
以下の説明では、モータ５の軸方向（図３のＺ方向）を「上下方向」、軸方向に直交する端子７の突出方向（図３のＸ方向）を「前後方向」、図３のＺ方向およびＸ方向に直交するＹ方向を「左右方向」とする。また、以下では、図３のＺ１方向側を「上」側、Ｚ２方向側を「下」側、Ｘ１方向側を「前」側、Ｘ２方向側を「後（後ろ）」側、Ｙ１方向側を「右」側、Ｙ２方向側を「左」側とする。さらに、以下では、Ｘ方向とＹ方向とから形成される平面を「ＸＹ平面」、Ｚ方向とＸ方向とから形成される平面を「ＺＸ平面」とする。
【００２８】
なお、本形態では、Ｘ２方向は、雌型コネクタ６に挿入される雄型コネクタ１１の挿入方向である。また、モータ５の軸方向（Ｚ方向）は、雄型コネクタ１１の挿入方向に略直交する第１方向である。また、Ｚ１方向は、第１方向の一方向であり、Ｚ２方向は、第１方向の他方向である。
【００２９】
下ケース体３は、樹脂で形成されている。たとえば、下ケース体３は、耐熱性を有しないＡＢＳ（アクリロニトリルブタジエンスチレン）によって形成されている。また、下ケース体３は、成型によって形成されている。この下ケース体３は、モータ５の下端側を収納する第２モータ収納部としてのモータ収納部３ａと、雌型コネクタ６の一部を構成するコネクタ本体部３ｂとを備えている。なお、下ケース体３の材質は、ＡＢＳには限定されない。
【００３０】
モータ収納部３ａは、図３に示すように、下端に底面部を有する有底円筒状に形成されている。また、モータ収納部３ａの上面は開口している。モータ５の下端側は、この開口を通過してモータ収納部３ａに収納される。すなわち、モータ収納部３ａの上端には、モータ収納部３ａへモータ５の下端側を挿入するためのモータ挿入開口部が形成されている。
【００３１】
コネクタ本体部３ｂは、モータ収納部３ａから前側に突出するように形成されている。このコネクタ本体部３ｂは、底面部３ｃと、底面部３ｃの左右方向の両端から上方向に向かって立ち上がる２個の側壁部３ｄと、２個の側壁部３ｄの前端側で側壁部３ｄの上端同士を接続する上壁部３ｅとを備えている。底面部３ｃおよび上壁部３ｅは、ＸＹ平面と略平行に形成され、２個の側壁部３ｄは、ＺＸ平面と略平行に形成されており、コネクタ本体部３ｂは、上下方向から見たときの形状が略矩形となるように形成されている。また、上壁部３ｅは、左右方向に細長い矩形の帯状に形成されている。
【００３２】
本形態では、底面部３ｃと２個の側壁部３ｄとによって、端子７が固定された状態の端子台８を収納する端子収納部３ｆが形成されている。すなわち、端子収納部３ｆの上端には、開口部が形成されている。この開口部は、端子７が固定された状態の端子台８が通過可能な大きさに形成されている。また、２個の側壁部３ｄと上壁部３ｅとは、この開口部の縁部を構成している。
【００３３】
底面部３ｃには、端子台８を固定するための固定溝部３ｇが形成されている。具体的には、図４に示すように、左右方向を長手方向とする細長い固定溝部３ｇが底面部３ｃの上面に形成されている。
【００３４】
底面部３ｃの下面には、図６等に示すように、雄型コネクタ１１と雌型コネクタ６とが係合する係合位置で、雄型コネクタ１１に形成される係合片（図示省略）に係合する係合突起３ｊが形成されている。本形態では、雄型コネクタ１１に形成される係合片は、第１係合部であり、係合突起３ｊは、第１係合部である係合片に係合する第２係合部である。なお、左右方向における側壁部３ｄの外側面には、上ケース体２に形成される後述の係合片２ｅに係合する係合突起３ｋが形成されている。
【００３５】
底面部３ｃの前端側は、雌型コネクタ６に挿入される雄型コネクタ１１の下面を支持する機能を果たしている。側壁部３ｄは、雌型コネクタ６に挿入される雄型コネクタ１１の左右の側面を支持する機能を果たしている。上壁部３ｅは、雌型コネクタ６に挿入される雄型コネクタ１１の上面を支持する機能を果たしている。すなわち、本形態では、底面部３ｃと側壁部３ｄと上壁部３ｅとによって、雄型コネクタ１１を支持する支持部３ｍが構成されている。なお、本形態の上壁部３ｅは、端子収納部３ｆの上端の開口部の縁部を構成する第１支持部であり、底面部３ｃは、第１方向の他方向側となる下端側に配置される第２支持部である。
【００３６】
上述のように、側壁部３ｄは、底面部３ｃの左右方向の両端から立ち上がるように形成され、上壁部３ｅは、２個の側壁部３ｄの前端側で側壁部３ｄの上端同士を接続するように形成されている。すなわち、前後方向から見たとき、支持部３ｍは、コネクタ本体部３ｂの全周にわたって連続して形成されている（図６、図７参照）。本形態では、支持部３ｍによって（すなわち、底面部３ｃと２個の側壁部３ｄと上壁部３ｅとによって）、雄型コネクタ１１が挿入される挿入口３ｎが形成されている。具体的には、前後方向から見たときの形状が略矩形状となる挿入口３ｎがコネクタ本体部３ｂの前端側に形成されている。また、本形態では、図４、図５に示すように、上下方向から見たとき、底面部３ｃと上壁部３ｅとは、互いに重なっておらず、前後方向における底面部３ｃと上壁部３ｅとの間には、隙間Ｓが形成されている。
【００３７】
上述のように、本形態の下ケース体３は、樹脂成型で形成されている。また、本形態では、上下方向から見たとき、底面部３ｃと上壁部３ｅとは互いに重なっていない。そのため、本形態では、下ケース体３に上壁部３ｅが形成されているにもかかわらず、下ケース体３の製造には、図１０に示すように、上方向へ移動する第１の金型２１と、下方向へ移動する第２の金型２２とが使用されている。
【００３８】
上ケース体２は、樹脂で形成されている。たとえば、上ケース体２は、下ケース体３と同様に、耐熱性を有しないＡＢＳによって形成されている。また、上ケース体２は、成型によって形成されている。この上ケース体２は、図８に示すように、モータ５の上端側を収納する第１モータ収納部としてのモータ収納部２ａと、端子収納部３ｆの上端の開口部を覆う蓋部２ｂとを備えている。なお、上ケース体３の材質は、ＡＢＳには限定されない。
【００３９】
モータ収納部２ａは、上端に底面部を有する有底円筒状に形成されている。また、モータ収納部２ａの下面は開口している。モータ５の上端側は、この開口を通過してモータ収納部２ａに収納される。また、モータ収納部２ａの底面部には、出力軸１５が挿通される貫通孔２ｃが形成されている。
【００４０】
蓋部２ｂは、モータ収納部２ａから前側に突出するように形成されている。この蓋部２ｂは、ＸＹ平面と略平行に形成され端子収納部３ｆの上端の開口部を覆う平板状の上壁部２ｄと、下ケース体３の係合突起３ｋに係合する係合片２ｅとを備えており、上下方向から見たときの形状が略矩形となるように形成されている。
【００４１】
上壁部２ｄの下面には、後述のように、下ケース体３に軽圧入されて固定される端子台８の上面８ｃに当接する当接突起部２ｆが形成されている。係合片２ｅは、ＺＸ平面と略平行に形成されている。この係合片２ｅには、係合突起３ｋに係合する係合溝２ｇが形成されている（図３参照）。
【００４２】
端子台８は、樹脂で形成されている。たとえば、端子台８は、耐熱性を有するガラス繊維入りのＰＢＴ（ポリブチレンテレフタレート）によって形成されている。また、端子台８は、成型によって形成されている。この端子台８は、図３に示すように、左右方向を長手方向とする細長い直方体状に形成された端子固定部８ａと、下ケース体３の固定溝部３ｇに軽圧入される圧入突起部８ｂとを備えている。圧入突起部８ｂは、前後方向における端子固定部８ａの底面の略中心位置から下方向に突出するように形成されており、端子台８は、左右方向から見たときの形状が略Ｔ形状となるように形成されている。なお、端子台８の材質は、ＰＢＴには限定されず、耐熱性を有する他の樹脂であっても良い。
【００４３】
端子固定部８ａには、直線状に形成された複数の端子７が固定されている。具体的には、前後方向を長手方向として端子固定部８ａに形成された端子圧入孔に複数の端子７が圧入されることで、複数の端子７が端子固定部８ａに固定されている。すなわち、複数の端子７は、前後方向を長手方向として端子固定部８ａに固定されている。
【００４４】
図９に示すように、端子７が固定された状態の端子台８は、端子収納部３ｆに収納されている。具体的には、圧入突起部８ｂが固定溝部３ｇに軽圧入されて固定された状態で、端子台８が端子収納部３ｆに収納されている。また、上ケース体２の当接突起部２ｆが端子台８の上面８ｃに当接した状態で、端子台８が端子収納部３ｆに収納されている。すなわち、端子台８は、コネクタ本体部３ｂの底面部３ｃと蓋部２ｂの上壁部２ｄとに挟まれた状態で、端子収納部３ｆに収納されている。本形態の上面８ｃは、当接突起部２ｆが当接する当接面である。
【００４５】
上述のように、雌型コネクタ６は、上ケース体２の一部と、下ケース体３の一部と、複数の端子７と、端子台８とによって構成されている。すなわち、本形態では、上ケース体２の蓋部２ｂと、下ケース体３のコネクタ本体部３ｂと、複数の端子７と、端子台８とによって、雌型コネクタ６が構成されている。
【００４６】
（モータユニットの組立手順）
以上のように構成されたモータユニット１では、まず、モータ５を組み立てる。また、端子台８に端子７を圧入固定する。その後、ケーブル１０の一端をモータ側端子９に半田付けで固定し、ケーブル１０の他端を端子７に半田付けで固定する。その後、モータ５の下端側を下ケース体３のモータ収納部３ａに収納する。また、端子収納部３ｆの上端の開口部から端子台８を端子収納部３ｆに収納する。具体的には、端子台８の圧入突起部８ｂを下ケース体３の固定溝部３ｇに軽圧入して、端子台８を端子収納部３ｆに収納する。その後、上ケース体２の係合片２ｅを下ケース体３の係合突起３ｋに係合させる等して、モータ５の軸方向で下ケース体３に上ケース体２を組み合わせて、下ケース体３と上ケース体２とを固定する。
【００４７】
（本形態の主な効果）
以上説明したように、本形態では、雄型コネクタ１１を支持するコネクタ本体部３ｂの支持部３ｍが、前後方向から見たとき、コネクタ本体部３ｂの全周にわたって連続して形成されている。また、支持部３ｍによって挿入口３ｎが形成されている。そのため、挿入口３ｎの剛性を確保することが可能になる。また、下ケース体３の成型時に、挿入口３ｎに反り等が生じるのを抑制することができ、挿入口３ｎにおいて雄型コネクタ１１の適切な位置決めをすることができる。したがって、雄型コネクタ１１を端子７に向かって適切に案内することができ、雌型コネクタ６への雄型コネクタ１１の円滑な挿入が可能になる。また、本形態では、端子収納部３ｆと挿入口３ｎとがコネクタ本体部３ｂに一体で形成されているため、端子収納部３ｆと挿入口３ｎとの位置精度を向上させることができる。したがって、雌型コネクタ６への雄型コネクタ１１の、より円滑な挿入が可能になる。
【００４８】
本形態では、端子収納部３ｆの上端に開口部が形成されている。そのため、この開口部から端子収納部３ｆへ端子台８を収納する際には、端子７とケーブル１０との接続部分を目視で確認することができる。したがって、端子収納部３ｆへ端子台８を収納する際に、端子７とケーブル１０との接続部分に不具合が生じても、この不具合を発見することが可能になる。
【００４９】
本形態では、下ケース体３と端子台８とが別体で形成され、ケーブル１０の他端を端子７に半田付けで固定した後に、端子台８を下ケース体３に固定している。そのため、耐熱性を有しない材料で下ケース体３を形成することができる。したがって、下ケース体３を形成するための材料の選択肢を増やすことができ、下ケース体３の設計の自由度を向上させることができる。
【００５０】
本形態では、上下方向から見たとき、底面部３ｃと上壁部３ｅとが互いに重なっていない。そのため、コネクタ本体部３ｂに上壁部３ｅが形成されている場合であっても、図１０に示すように、上下方向に分割される第１の金型２１と第２の金型２２とを用いて、下ケース体３を形成することができる。したがって、下ケース体３を形成するための金型２１、２２の構造が簡素化される。また、下ケース体３の製造が容易になる。
【００５１】
本形態において、雄型コネクタ１１に形成される係合片に係合する係合突起３ｊがコネクタ本体部３ｂに形成されている。すなわち、挿入口３ｎと係合突起３ｊとがコネクタ本体部３ｂに一体で形成されている。そのため、挿入口３ｎと係合突起３ｊとの位置精度を向上させることができる。したがって、雄型コネクタ１１と雌型コネクタ６とを円滑に係合させることができる。
【００５２】
本形態では、端子収納部３ｆを構成する底面部３ｃに固定溝部３ｇが形成され、端子台８に固定溝部３ｇに軽圧入される圧入突起部８ｂが形成されている。そのため、端子収納部３ｆに端子台８を容易に位置決めし、かつ、固定することができる。特に本形態では、端子台８の上面８ｃに、上ケース体２の蓋部２ｂに形成される当接突起部２ｆが当接しているため、当接突起部２ｆによって、端子台８を端子収納部３ｆに確実に固定することができる。
【００５３】
本形態では、モータ収納部３ａの上面が開口している。そのため、モータ５と端子台８とを同じ方向から下ケース体３に挿入して収納することができる。したがって、上述のように、モータ側端子９と端子７とをケーブル１０で接続した状態で、モータ５および端子台８を下ケース体３に挿入して収納することができ、作業性を向上させることができる。
【００５４】
（他の実施の形態）
上述した形態は、本発明の好適な形態の一例ではあるが、これに限定されるものではなく本発明の要旨を変更しない範囲において種々変形実施が可能である。
【００５５】
上述した形態では、底面部３ｃと上壁部３ｅとは、上下方向から見たときに互いに重ならないように形成されている。この他にもたとえば、上下方向から見たときに、底面部３ｃの一部と上壁部３ｅの一部とが重なるように、底面部３ｃと上壁部３ｅとが形成されても良い。
【００５６】
上述した形態では、コネクタ本体部３ｂに、雄型コネクタ１１に形成される係合片に係合する係合突起３ｊが形成されている。この他にもたとえば、蓋部２ｂに、雄型コネクタ１１に形成される係合片に係合する係合突起が形成されても良い。
【００５７】
上述した形態では、モータケース４に雌型コネクタ６が一体で形成される場合を例に本発明の実施の形態にかかる雌型コネクタ６を説明しているが、本発明の実施の形態にかかる雌型コネクタ６は、モータケース４以外の各種のケースに一体で形成されても良い。また、蓋部２ｂに相当する部材、コネクタ本体部３ｂに相当する部材、端子７および端子台８によって構成される雌型コネクタがケースとは別体に形成され、この雌型コネクタがケースに固定されても良い。
【図面の簡単な説明】
【００５８】
【図１】本発明の実施の形態にかかるモータユニットの斜視図である。
【図２】図１のモータユニットを他の方向から示す斜視図である。
【図３】図１のモータユニットの分解斜視図である。
【図４】図１に示す下ケース体の平面図である。
【図５】図１に示す下ケース体の下面図である。
【図６】図４のＥ−Ｅ方向から下ケース体を示す側面図である。
【図７】図４に示すコネクタ本体部の前端側を上側から示す斜視図である。
【図８】図１に示す上ケース体の下面図である。
【図９】図２のＦ−Ｆ断面の断面図である。
【図１０】図１に示す下ケース体の製造に使用される金型の概略構成を説明するための断面図である。
【符号の説明】
【００５９】
１  モータユニット
２  上ケース体（第１ケース体）
２ａ  モータ収納部（第１モータ収納部）
２ｂ  蓋部
２ｆ  当接突起部
３  下ケース体（第２ケース体）
３ａ  モータ収納部（第２モータ収納部）
３ｂ  コネクタ本体部
３ｃ  底面部（第２支持部）
３ｅ  上壁部（第１支持部）
３ｆ  端子収納部
３ｇ  固定溝部
３ｊ  係合突起（第２係合部）
３ｍ  支持部
３ｎ  挿入口
４  モータケース
５  モータ
６  雌型コネクタ
７  端子
８  端子台（端子固定部材）
８ｂ  圧入突起部
８ｃ  上面（当接面）
９  モータ側端子
１０  ケーブル
１１  雄型コネクタ
２１  第１の金型
２２  第２の金型
Ｘ２  挿入方向
Ｚ  第１方向、軸方向
Ｚ１  第１方向の一方向
Ｚ２  第１方向の他方向
【図１】
2010061957.tif 000003
【図２】
2010061957.tif 000004
【図３】
2010061957.tif 000005
【図４】
2010061957.tif 000006
【図５】
2010061957.tif 000007
【図６】
2010061957.tif 000008
【図７】
2010061957.tif 000009
【図８】
2010061957.tif 000010
【図９】
2010061957.tif 000011
【図１０】
2010061957.tif 000012